【手続補正書】
【提出日】平成22年6月21日(2010.6.21)
【手続補正１】
【補正対象書類名】特許請求の範囲
【補正対象項目名】請求項６
【補正方法】変更
【補正の内容】
【請求項６】
第１の水溶性低分子化合物（以下、化合物（Ａ）という）と、化合物（Ａ）とは異なる第２の水溶性低分子化合物（以下、化合物（Ｂ）という）と、化合物（Ａ）及び化合物（Ｂ）以外の親水基と疎水基を持つ両親媒性化合物（Ｄ）とを含有する液状レオロジー改質剤であって、
該改質剤の２０℃での粘度が５０００ｍＰａ・ｓ以下であり、
化合物（Ａ）及び化合物（Ｂ）の組み合わせが、（１）カチオン性界面活性剤から選ばれる化合物（Ａ）及びアニオン性芳香族化合物から選ばれる化合物（Ｂ）の組み合わせ、（２）カチオン性界面活性剤から選ばれる化合物（Ａ）及び臭化化合物から選ばれる化合物（Ｂ）の組み合わせ、からなる群より選択され、
下記標準試験（Ｉ）において、攪拌停止時に溶液に気泡の巻き返しが観察される、
液状レオロジー改質剤。
標準試験（Ｉ）：２００ｍＬビーカーに０．１Ｎ−水酸化カリウム水溶液９０ｍＬ、レオロジー改質剤１０ｍＬを加え、直径６ｍｍのガラス棒で４回転／秒で１８０秒間攪拌する。
【手続補正２】
【補正対象書類名】特許請求の範囲
【補正対象項目名】請求項７
【補正方法】変更
【補正の内容】
【請求項７】
第１の水溶性低分子化合物（以下、化合物（Ａ）という）と、化合物（Ａ）とは異なる第２の水溶性低分子化合物（以下、化合物（Ｂ）という）と、ジカルボン酸（Ｃ）とを含有する液状レオロジー改質剤であって、
化合物（Ａ）及び化合物（Ｂ）の組み合わせが、（１）カチオン性界面活性剤から選ばれる化合物（Ａ）及びアニオン性芳香族化合物から選ばれる化合物（Ｂ）の組み合わせ、（２）カチオン性界面活性剤から選ばれる化合物（Ａ）及び臭化化合物から選ばれる化合物（Ｂ）の組み合わせ、からなる群より選択されるものであり、
該液状レオロジー改質剤の２０℃での粘度が５０００ｍＰａ・ｓ以下であり、
普通ポルトランドセメント４００ｇと水４００ｇとから調製したスラリーに、該液状レオロジー改質剤を１６ｇ添加し、混合した直後のスラリー粘度が、２０℃で、３０００ｍＰａ・ｓ以上である、
液状レオロジー改質剤。
【手続補正３】
【補正対象書類名】明細書
【補正対象項目名】０００７
【補正方法】変更
【補正の内容】
【０００７】
また、本発明は、第１の水溶性低分子化合物（以下、化合物（Ａ）という）と、化合物（Ａ）とは異なる第２の水溶性低分子化合物（以下、化合物（Ｂ）という）と、化合物（Ａ）及び化合物（Ｂ）以外の親水基と疎水基を持つ両親媒性化合物（Ｄ）（以下、化合物（Ｄ）という）とを含有する液状レオロジー改質剤であって、
該改質剤の２０℃での粘度が５０００ｍＰａ・ｓ以下であり、
化合物（Ａ）及び化合物（Ｂ）の組み合わせが、（１）カチオン性界面活性剤から選ばれる化合物（Ａ）及びアニオン性芳香族化合物から選ばれる化合物（Ｂ）の組み合わせ、（２）カチオン性界面活性剤から選ばれる化合物（Ａ）及び臭化化合物から選ばれる化合物（Ｂ）の組み合わせ、からなる群より選択され、
下記標準試験（Ｉ）において、攪拌停止時に溶液に巻き返しが観察される、
液状レオロジー改質剤に関する。
標準試験（Ｉ）：２００ｍＬビーカーに０．１Ｎ−水酸化カリウム水溶液９０ｍＬ、レオロジー改質剤１０ｍＬを加え、直径６ｍｍのガラス棒で４回転／秒で１８０秒間攪拌する。
【手続補正４】
【補正対象書類名】明細書
【補正対象項目名】０００８
【補正方法】変更
【補正の内容】
【０００８】
また、本発明は、第１の水溶性低分子化合物（以下、化合物（Ａ）という）と、化合物（Ａ）とは異なる第２の水溶性低分子化合物（以下、化合物（Ｂ）という）と、ジカルボン酸（Ｃ）とを含有する液状レオロジー改質剤であって、
化合物（Ａ）及び化合物（Ｂ）の組み合わせが、（１）カチオン性界面活性剤から選ばれる化合物（Ａ）及びアニオン性芳香族化合物から選ばれる化合物（Ｂ）の組み合わせ、（２）カチオン性界面活性剤から選ばれる化合物（Ａ）及び臭化化合物から選ばれる化合物（Ｂ）の組み合わせ、からなる群より選択されるものであり、
該液状レオロジー改質剤の２０℃での粘度が５０００ｍＰａ・ｓ以下であり、
普通ポルトランドセメント４００ｇと水４００ｇとから調製したスラリーに、該液状レオロジー改質剤を１６ｇ添加し、混合した直後のスラリー粘度が、２０℃で、３０００ｍＰａ・ｓ以上である、
液状レオロジー改質剤に関する。
【手続補正５】
【補正対象書類名】明細書
【補正対象項目名】００３３
【補正方法】変更
【補正の内容】
【００３３】
本発明のレオロジー改質剤の第２の態様は、化合物（Ａ）と化合物（Ｂ）と化合物（Ａ）及び化合物（Ｂ）以外の化合物（Ｄ）とを含有する２０℃での粘度が５０００ｍＰａ・ｓ以下の液状レオロジー改質剤であって、標準試験（Ｉ）において、攪拌停止時に溶液に巻き返しが観察されるものである。巻き返しの標準試験（Ｉ）は第１の態様と同じ試験方法である。
【手続補正６】
【補正対象書類名】明細書
【補正対象項目名】００３５
【補正方法】変更
【補正の内容】
【００３５】
化合物（Ｄ）は、化合物（Ａ）と化合物（Ｂ）を含む改質剤が、該化合物（Ｄ）を含有することにより、好ましくは改質剤中に０．１〜３０重量％含有することにより、２０℃での粘度が５０００ｍＰａ・ｓ以下となるものである。通常、本発明の化合物（Ａ）と化合物（Ｂ）に水を加えたものは、こうした粘度を実現することはできない。よって、水は化合物（Ｄ）には該当しない。また、化合物（Ｄ）は、化合物（Ａ）と化合物（Ｂ）の混合溶液に溶解する化合物であることが好ましい。化合物（Ｄ）としては、親水基と疎水基を持つ両親媒性化合物であり、イオン性の官能基を有する化合物が好ましい。ここでイオン性の官能基には、カルボン酸のカルボキシル基やアミンのアミノ基等の塩型や酸型になりうる基を含む。これらには、ジカルボン酸、トリカルボン酸、テトラカルボン酸のようなカルボン酸系の化合物及びスルホン酸系の化合物等が挙げられ、具体的には、ジカルボン酸（Ｃ）として挙げた化合物の他、ヘキサン-1,3,6-トリカルボン酸などのトリジカルボン酸類、アジピン酸モノエステルなどのジカルボン酸エステル等が挙げられる。レオロジー改質剤の粘度の観点から、化合物（Ｄ）の分子量は１０００以下が好ましく、５００以下がより好ましい。また、レオロジー改質剤の保存安定性及び添加の作業性の観点から、化合物（Ｄ）は化合物（Ａ）と化合物（Ｂ）とを含有する水溶液に溶解する化合物が好ましい。レオロジー改質対象への添加時のレオロジー改質効果の観点から、化合物（Ｄ）はレオロジー改質対象のｐＨで水に溶解することが好ましい。
【手続補正７】
【補正対象書類名】明細書
【補正対象項目名】００３７
【補正方法】変更
【補正の内容】
【００３７】
本発明のレオロジー改質剤の第３の態様は、化合物（Ａ）と化合物（Ｂ）とジカルボン酸（Ｃ）とを含有する２０℃での粘度が５０００ｍＰａ・ｓ以下、好ましくは３０００ｍＰａ・ｓ以下、より好ましくは２０００ｍＰａ・ｓ以下の液状レオロジー改質剤であって、普通ポルトランドセメント４００ｇと水４００ｇとから調製したスラリーに、該レオロジー改質剤を１６ｇ添加し、混合した直後、好ましくは混合６０秒以内のスラリー粘度が、２０℃で、３０００ｍＰａ・ｓ以上、好ましくは３５００ｍＰａ・ｓ以上、より好ましくは４０００ｍＰａ・ｓ以上である。
【手続補正８】
【補正対象書類名】明細書
【補正対象項目名】００５１
【補正方法】変更
【補正の内容】
【００５１】
また、本発明のレオロジー改質剤の粘度は、作業性の観点から２０℃で１００００ｍＰａ・ｓ以下が好ましく、５０００ｍＰａ・ｓ以下がより好ましく、３０００ｍＰａ・ｓ以下、２０００ｍＰａ・ｓ以下がより好ましい。特に、第２の態様における本発明のレオロジー改質剤の２０℃での粘度は５０００ｍＰａ・ｓ以下、更に３０００ｍＰａ・ｓ以下、更に２０００ｍＰａ・ｓ以下が好ましい。また、第１の態様における本発明のレオロジー改質剤のうち、２０℃での粘度が５０００ｍＰａ・ｓ以下、更に３０００ｍＰａ・ｓ以下、更に２０００ｍＰａ・ｓ以下ものは、普通ポルトランドセメント４００ｇと水４００ｇとから調製したスラリーに、該レオロジー改質剤を１６ｇ添加し、混合した直後、好ましくは混合６０秒以内のスラリー粘度が、２０℃で、３０００ｍＰａ・ｓ以上、好ましくは３５００ｍＰａ・ｓ以上、より好ましくは４０００ｍＰａ・ｓ以上であることが好ましい。
【手続補正９】
【補正対象書類名】明細書
【補正対象項目名】００５６
【補正方法】変更
【補正の内容】
【００５６】
本発明のレオロジー改質剤を含有するスラリー、特に水硬性粉体を含有する水硬性スラリーの粘度は、レオロジー改質効果の観点から、２０℃で、１０００ｍＰａ・ｓ以上が好ましく、２０００ｍＰａ・ｓ以上がより好ましい。
【手続補正１０】
【補正対象書類名】明細書
【補正対象項目名】００６８
【補正方法】変更
【補正の内容】
【００６８】
（２）水硬性スラリーのレオロジー改質評価
普通ポルトランドセメント４００ｇ、水４００ｇをケーキ用ハンドミキサーで３０秒混合後、表１の液状レオロジー改質剤（Ｘ＝３．０重量％、ただし、Ｘ＝３．０で粘度が１００００ｍＰａ・ｓ超の場合は、Ｘ＝５．０重量％、Ｘ＝５．０で粘度が１００００ｍＰａ・ｓ超の場合は、Ｘ＝１０．０重量％）１６ｇを加え、更に６０秒混合した。調製されたスラリーの粘度を、ビスコテスター（リオン製  ＶＴ−０４Ｅ）で測定した。スラリー温度は２０℃になるように、材料の温度を調製した。結果を表２に示す。